(57)【要約】【課題】アナウンサー等が原稿を読む際に、その者に合わせた好適な環境を実現する技術を提供する。【解決手段】放送用調整システム１００において、照合部１２３がアナウンサー１９０の映像と、顔ＤＢ１２１の顔画像データとを照合し、アナウンサー１９０を特定し、パラメータ部１２２から該当するアナウンサー１９０に関するパラメータを抽出し、画像加工サーバ１０９へ渡す。画像加工サーバ１０９は、パラメータを反映させた原稿画像を生成し、プロンプタ制御盤１０４を介して原稿表示パネル１０３に表示する。【選択図】  図１
2020005088.tif 000002
【特許請求の範囲】
【請求項１】
プロンプタ装置に表示される原稿画像を読む人物の顔画像データを解析する画像管理部と、
前記画像管理部における解析結果に応じて、前記原稿画像の表示態様を変更する画像加工部と、
を備えることを特徴とする放送用調整装置。
【請求項２】
前記画像管理部は、
原稿画像を読むことが想定される人物の顔画像データを予め保持する顔画像データ部と、
人物に応じて設定されている前記表示態様に関するパラメータを保持するパラメータ部と、
前記原稿画像を読む人物の顔画像データと、前記顔画像データ部に予め保持する顔画像データとを照合して原稿を読む人物を特定し、前記パラメータ部から特定した人物に対応するパラメータを抽出する照合部とを備えることを特徴とする請求項１に記載の放送用調整装置。
【請求項３】
前記照合部は、前記原稿画像を読む人物を特定出来ない場合、前記人物の属性を推定し、
前記画像加工部は、前記推定結果に応じて、前記原稿画像の表示態様を変更する
ことを特徴とする請求項２に記載の放送用調整装置。
【請求項４】
前記プロンプタ装置が設置されている施設の照明装置を制御する照明制御部を備え、
前記照明制御部は、前記照合部の解析結果に応じて前記照明装置を制御することを特徴とする請求項１から３までのいずれかに記載の放送用調整装置。
【請求項５】
請求項１〜４までのいずれかに記載の放送用調整装置と、
前記プロンプタ装置と、
前記原稿画像を読む人物を撮影し、前記放送用調整装置へ出力する撮影装置と、
を備えることを特徴とする放送用調整システム。
【発明の詳細な説明】
【技術分野】
【０００１】
本発明は、放送用調整装置及び放送用調整システムに係り、例えば、放送局などにおいてアナウンサーやレポーターなどが原稿を読む際に、プロンプタ装置における原稿画像の表示態様を変更可能な放送用調整装置及び放送用調整システムに関する。
【背景技術】
【０００２】
放送スタジオ等で行われている一般的なニュース放送等では、プロンプタ装置と呼ばれる放送用のカメラレンズ正面に放送原稿を映し出す設備が用意されている。これはアナウンサーの手元に置いてある原稿を天井から撮影しているカメラの映像がそのまま放送カメラの前に表示される仕組みとなっている。実際に放送されている映像はアナウンサーが正面を向いたままで原稿を覚えて読んでいるように見えるが、実際には映し出されている原稿をそのまま読んでいる状況となっている。
【０００３】
なお、原稿台の上に載置された原稿の画像を読み取り、所定の表示部に表示される技術として、画像形成装置において実現されたものがある（例えば、特許文献１参照。）。この技術では、原稿台の上に載置された原稿の画像を読み取り（スキャン機構）、読み取った初期画像データに基づく画像データを原稿台表示部に表示させ、カメラによって撮像されたユーザの画像データと照合して本人認証処理を実行する。本人認証された場合にのみ、免許証等の身分証明書のコピーを許可することで、不正コピー等を防止している。
【先行技術文献】
【特許文献】
【０００４】
【特許文献２】特開２０１１−２４２５９１号公報
【発明の開示】
【発明が解決しようとする課題】
【０００５】
ところで、緊急放送の場合は、想定外の別の原稿が差し出される為、アナウンサーやレポーターは、事前確認することなく原稿を読まなければならず、例えば文字のサイズや明るさ等、どうしても自分が読みやすい環境にはなっていない場合がある。これらの状況が続いた場合、その環境が読み間違えてはいけないと言う本人のストレスに繋がることも考えられ、結果的に原稿の読み間違いが増える可能性がある。
【０００６】
また、放送する際のスタジオ内の照明や空調等の環境づくりについても同様な事が言える。例えばフロア照明など本来であれば時間をかけてその時、その人に合った明るさ等に調整が行われる。しかしながら緊急放送の場合は、誰が原稿を読むのかがその時になってみないと分からないにもかかわらず、通常放送と同じ対応を行うだけの時間の猶予はない。一般に、スタジオ内の環境づくりは人による作業が多くなる為、不慣れな人では時間もかかり間違いや作業ミスと言った事も多くなる傾向になる。アナウンサーがより原稿を読み易い環境を構築しようとした結果、作業増による人的ミスがそのまま放送事故に繋がってしまう可能性があることも考えなければならない。
【０００７】
本発明は、このような状況に鑑みなされたもので、上記課題を解決することを目的とする。
【課題を解決するための手段】
【０００８】
本発明の放送用調整装置は、プロンプタ装置に表示される原稿画像を読む人物の顔画像データを解析する画像管理部と、前記画像管理部における解析結果に応じて、前記原稿画像の表示態様を変更する画像加工部と、を備える。
また、前記画像管理部は、原稿画像を読むことが想定される人物の顔画像データを予め保持する顔画像データ部と、人物に応じて設定されている前記表示態様に関するパラメータを保持するパラメータ部と、前記原稿画像を読む人物の顔画像データと、前記顔画像データ部に予め保持する顔画像データとを照合して原稿を読む人物を特定し、前記パラメータ部から特定した人物に対応するパラメータを抽出する照合部とを備えてもよい。
また、前記照合部は、前記原稿画像を読む人物を特定出来ない場合、前記人物の属性を推定し、前記画像加工部は、前記推定結果に応じて、前記原稿画像の表示態様を変更してもよい。
また、前記プロンプタ装置が設置されている施設の照明装置を制御する照明制御部を備え、前記照明制御部は、前記照合部の解析結果に応じて前記照明装置を制御してもよい。
本発明の放送用調整システムは、上記の放送用調整装置と、前記プロンプタ装置と、前記原稿を読む人物を撮影し、前記放送用調整装置へ出力する撮影装置と、を備える。
【発明の効果】
【０００９】
本発明よれば、アナウンサー等がプロンプタ装置を用いて原稿画像を読む際に、その者に合わせた好適な環境を提供できる。
【図面の簡単な説明】
【００１０】
【図１】実施形態に係る、放送用調整システムの構成を示すブロック図である。
【図２】実施形態に係る、原稿加工例を示す図である。
【図３】実施形態に係る、画像管理サーバと画像加工サーバの処理例を示す図である。
【図４】実施形態に係る、パラメータ部に記録されているパラメータデータ（テーブル）の例を示す図である。
【図５】実施形態に係る、放送用調整システムの処理例を示すフローチャートである。
【発明を実施するための形態】
【００１１】
以下、本発明の実施形態について図面を参照して詳細に説明する。
図１は、本実施形態に係る、放送用調整システム１００の概略構成を示すブロック図である。なお、以下では、主にプロンプタ機能に着目して説明し、一般的なスタジオ収録や放送送出等の技術については説明を適宜省略する。本実施形態の放送用調整システム１００では、アナウンサーやレポーター等の原稿を読む人物（以下、単に「アナウンサー１９０」と称する。）を識別し、識別したアナウンサー１９０に応じて、原稿を読む際に最適な環境（例えば、プロンプタ装置１３０に表示される原稿画像の表示態様やスタジオの照明環境）を提供する処理を行う。特に、緊急放送時のように、イレギュラーな放送の場合に、デスク１９９上に原稿２００が無い場合や、別の原稿を読む必要がある場合もある。そのような場合には、後述する原稿記録部１２４に記録されている画像データ（すなわち原稿画像）がプロンプタ装置１３０の原稿表示パネル１０３に表示されることがある。そのような状況において、アナウンサー１９０が誰であるかを特定し、特定した人物に合わせて予め登録されている原稿画像の表示態様を調整することで、アナウンサー１９０に最適な原稿画像を提供する。
【００１２】
図２は、そのような処理の一例として原稿加工例（表示態様の変更例）を示したものである。例えば、元原稿２０１において、背景が「白」でフォントが「ゴシック」である場合を想定する。アナウンサー１９０が「Ａ」さんであれば、加工後原稿２０２ａのように、フォントが太字（ボールド）に加工される。「Ｂ」さんであれば、加工後原稿２０２ｂのように、フォントが「２ポイント」大きくなっている。「Ｃ」さんであれば、加工後原稿２０２ｃのように、背景「黒」、フォント色「白」となる。
【００１３】
図１を参照して具体的な構成を説明する。放送用調整システム１００は、放送用カメラ１０１と、プロンプタ装置１３０と、放送用調整装置１５０と、照明制御装置１１１と、照明装置１１５とを備える。
【００１４】
放送用カメラ１０１は、アナウンサー１９０を正面から撮影する。ここでは、アナウンサー１９０はデスク１９９に座っており、また、デスク１９９の上には原稿２００が置かれている。照明装置１１５はスタジオ内の天井等に設置され、照明制御装置１１１によりその明るさ等が制御される。
【００１５】
プロンプタ装置１３０は、プロンプタ用カメラ１０２と、原稿表示パネル１０３と、プロンプタ制御盤１０４とを備える。
【００１６】
プロンプタ用カメラ１０２は、プロンプタ制御盤１０４に制御され、アナウンサー１９０のデスク１９９の上にある原稿２００を天井付近から撮影し、撮影した映像をプロンプタ制御盤１０４に出力する。
【００１７】
プロンプタ制御盤１０４は、プロンプタ用カメラ１０２を制御し、デスク１９９の上の原稿２００を撮影するとともに、放送用カメラ１０１のレンズ前面に配置された原稿表示パネル１０３にプロンプタ用カメラ１０２で撮影された原稿を表示出力する。
【００１８】
なお、スタジオ等において一般的に使用されるプロンプタ装置１３０では、原稿表示パネル１０３は、放送用カメラ１０１の撮影レンズ前方下側に上方に向けて配置されると共に、テレビカメラの撮影レンズ前方にハーフミラーをモニタ装置の表示面に対して４５°傾斜させて配置し、テレビカメラでの撮影を妨害することなく、モニタに表示した原稿をハーフミラーでテレビカメラ前方に反射させるような構成となっている。また、取材等で使用されるＥＮＧ（Electronic News Gathering）カメラのプロンプタ装置１３０としては、原稿を表示する液晶パネル（原稿表示パネル１０３）を撮影レンズのすぐ脇に配したものもある。
【００１９】
放送用調整装置１５０は、プロンプタ装置１３０の機能を補完するとともに、照明制御装置１１１の制御を補完し、アナウンサー１９０が原稿を読みやすい環境を構築する。
【００２０】
具体的は、放送用調整装置１５０は、画像入出力部１６０と、画像管理サーバ１０７と、管理端末１０８と、画像加工サーバ１０９とを備え、それらはネットワークスイッチ１０６によって相互に通信可能に接続される。
【００２１】
管理端末１０８は、管理者が操作することで、プロンプタ機能の動作を制御・管理する。例えば、原稿（元原稿２０１や加工原稿２０２a〜２０２ｃ）の記録の管理や、後述する顔ＤＢ１２１の登録、パラメータ部１２２へのパラメータデータの登録を行う。デスク１９９上の原稿を撮影した原稿画像を原稿表示パネル１０３に表示させるか、または、原稿記録部１２４に記録されている原稿画像を直接表示させるかを制御する。また、原稿加工や照明調整は、自動で行うことができるが、アナウンサー１９０からの要望を受けて、管理端末１０８を操作することで、それらを手動で調整することもできる。
【００２２】
また、画像入出力部１６０は、プロンプタ装置１３０とネットワークスイッチ１０６との間に設けられ、入出力インタフェースとして機能する。ここでは、画像入出力部１６０は、画像エンコーダ１０５と、画像デコーダ１１０とを備える。
【００２３】
すなわち、画像エンコーダ１０５は、プロンプタ制御盤１０４を介してプロンプタ用カメラ１０２や放送用カメラ１０１で撮影した映像を取得し、所定の形式にエンコード変換する。変換後の映像は、ネットワークスイッチ１０６を介して画像管理サーバ１０７に送信される。また、画像デコーダ１１０は、後述する処理にて画像加工サーバ１０９が加工した原稿映像を、原稿表示パネル１０３で表示可能な形式に変換し、プロンプタ制御盤１０４を介して、原稿表示パネル１０３に出力する。
【００２４】
図３に画像管理サーバ１０７と画像加工サーバ１０９の処理例を示す。図１及び図３に示すように、画像管理サーバ１０７は、顔ＤＢ１２１と、パラメータ部１２２と、照合部１２３と、原稿記録部１２４とを備え、所定の画像解析処理を行う。画像解析結果は、管理端末１０８に表示されると共に、得られた結果からのパラメータ情報をプロンプタ用カメラ１０２で撮影した映像に、画像加工サーバ１０９で反映し、画像デコーダ１１０にてプロンプタ制御盤１０４に戻す。
【００２５】
画像管理サーバ１０７による解析結果は、照明制御装置１１１にも転送される。照明制御装置１１１は、必要に応じて照明装置１１５を制御し、スタジオ環境、特にスタジオ内の照明の明るさ（照度）や色温度等を認証した人物に合せて自動構築する。このとき、デスク１９９の近傍に照度センサを配置し、所望の照度になるように制御してもよい。
【００２６】
顔ＤＢ１２１は、原稿２００を読む可能性のあるアナウンサー１９０の顔写真ファイルを記録し保持する。
【００２７】
パラメータ部１２２は、それぞれのアナウンサー１９０についてのパラメータを保持する。パラメータ部１２２に記録されているパラメータに基づき、例えば図２に示したように、原稿表示パネル１０３に出力する原稿画像を加工する。
【００２８】
照合部１２３は、放送用カメラ１０１により撮影したデスク１９９のアナウンサー１９０の画像と、顔ＤＢ１２１に記録されている顔画像とを照合し、原稿を読む予定のアナウンサー１９０が誰であるかを識別し、パラメータ部１２２から識別したアナウンサー１９０に対応するパラメータを抽出する。
【００２９】
人物特定と合わせて予め設定していたパラメータから、その人に合った最適な原稿情報に変換する。最適な原稿情報とは、例えば、文字の大きさや文字の色、原稿のベース色（背景色）と言った情報によって画像加工することを意味する。
【００３０】
原稿記録部１２４は、原稿表示パネル１０３に表示すべき原稿画像の元ファイル（元原稿２０１）及び加工後の原稿ファイルを記録する。
【００３１】
画像加工サーバ１０９は、原稿表示パネル１０３に表示すべき原稿画像を、照合部１２３で抽出したパラメータを用いて加工する。
【００３２】
ここで、図４に、パラメータが記録されたテーブルの例を示す。このテーブルでは、アナウンサー１９０毎に、顔ＤＢ１２１の「画像ファイル名」、「画像補正」、「照明調整量」が記録されている。「画像補正」として、文字（フォント）の「大きさ（調整量）」、「フォント種別」、「フォント色」、「背景色」が記録されている。
【００３３】
例えば、アナウンサー１９０が「Ｃ」の場合、画像ファイル名「００３Ｃ．ｊｐｇ」、フォントの大きさ「±０」、フォント種別「明朝」、フォント色「白」、背景色「黒」、照明調整量「＋１」となっている。どの項目を実際の原稿加工に適用するかは、選択可能とすることができる。
【００３４】
なお、照合部１２３は、アナウンサー１９０を特定出来ない場合、すなわち、顔ＤＢ１２１に存在しない場合や、照合が上手くいかない場合、その人物の属性、ここでは「年齢」及び「性別」を推定し、それに応じたパラメータを推定し、画像加工サーバ１０９に通知する。例えば、より年齢が若いほど原稿画像は明るめに設定し、年齢（１０歳ずつ）に応じて段階的に明度を低くしていく。また、女性の方が男性よりも１トーン明るい原稿画像とする。文字（フォント）のサイズは年齢に応じて段階的に大きくする。
【００３５】
図５のフローチャートを参照して、放送用調整システム１００による処理を説明する。
放送用カメラ１０１がデスク１９９に座っているアナウンサー１９０を撮影する（Ｓ１０）。撮影された映像は、プロンプタ制御盤１０４を介して、画像エンコーダ１０５で、所定の形式に変換され、画像管理サーバ１０７の照合部１２３に送られる。
【００３６】
照合部１２３は、アナウンサー１９０を撮影した映像と、顔ＤＢ１２１に記録されている顔画像データとを照合し、アナウンサー１９０を特定する（Ｓ１２）。
【００３７】
該当するアナウンサー１９０がいる場合（Ｓ１４のＹ）、照合部１２３は、パラメータ部１２２から、該当するアナウンサー１９０に関するパラメータを抽出し、画像加工サーバ１０９へ渡す（Ｓ１６）。
【００３８】
該当するアナウンサー１９０がいない場合（Ｓ１４のＮ）、照合部１２３は、アナウンサー１９０の性別及び年齢を推定し、推定結果に対応するパラメータを推定し、画像加工サーバ１０９に渡す（Ｓ１８）。
【００３９】
画像加工サーバ１０９は、画像管理サーバ１０７から取得したパラメータを、表示すべき原稿画像に適用することで、原稿画像を加工し、プロンプタ制御盤１０４を介して原稿表示パネル１０３に表示する（Ｓ２０）。このとき、管理端末１０８においても、加工後の原稿画像が表示される。
【００４０】
照合部１２３は、パラメータ部１２２から抽出したパラメータに、環境変更（ここでは照明装置１１５の調整）に関する情報が含まれているか否かを確認する（Ｓ２２）。含まれていない場合は（Ｓ２２のＮ）、照明装置１１５の調整は行われず、終了する。含まれる場合（Ｓ２２のＹ）、環境変更（ここでは照明装置１１５の調整）に関する情報（パラメータ）が照明制御装置１１１に通知され、照明制御装置１１１が照明装置１１５をそのパラメータに応じて調整する（Ｓ２４）。なお、デフォルト設定の処理として、男女別や年齢別に照明装置１１５を調整する場合は、照明制御装置１１１は、そのデフォルト設定に従って照明装置１１５を調整する。
【００４１】
以上、本実施形態によると、実際に原稿を読むアナウンサー１９０に適した原稿画像とすることができるため、アナウンサー１９０が原稿を読みやすくなり、間違いや放送事故等を防止することができる。特に、緊急放送等は対応できるアナウンサー等が日々異なるため、その人物・性別にあった原稿画像に自動で変換、加工する機能を有することで、アナウンサー１９０にあった原稿を用意することができる。また、同時にスタジオ内の照明の明るさ（照度）を変更するように照明設備（特に照明装置１１５）等を制御することで、そのアナウンサー１９０が最も原稿を読みやすい環境を構築することが可能となる。このように、プロンプタ装置１３０に表示される原稿画像を、個人の要望に合わせて加工することにより、アナウンサー１９０自身の読み間違いや、読みにくい原稿画像を利用しなければならないと言ったストレス等を改善することが可能となる。また、これらを自動で制御することで人による作業量は最低限となり時間に余裕を持って対応することが可能で、結果的に人的作業ミス等の低減につながる。
【００４２】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００４３】
１００  放送用調整システム
１０１  放送用カメラ
１０２  プロンプタ用カメラ
１０３  原稿表示パネル
１０４  プロンプタ制御盤
１０５  画像エンコーダ
１０６  ネットワークスイッチ
１０７  画像管理サーバ
１０８  管理端末
１０９  画像加工サーバ
１１０  画像デコーダ
１１１  照明制御装置
１１５  照明装置
１２１  顔ＤＢ
１２２  パラメータ部
１２３  照合部
１２４  原稿記録部
１３０  プロンプタ装置
１５０  放送用調整装置
１６０  画像入出力部
【図１】
2020005088.tif 000003
【図２】
2020005088.tif 000004
【図３】
2020005088.tif 000005
【図４】
2020005088.tif 000006
【図５】
2020005088.tif 000007